(57)【要約】【課題】着物をはおり、帯を巻くだけで誰にでも簡単に着ることができる。着用者の体型に合わせ曲線裁断・縫製しているためフィット感があり、着崩れしにくい。そのため従来の着物では得られなかった、美しい着姿を有し洋服感覚の着物を提供する。【解決手段】バスト、ウエスト、ヒップ、アンダーバスト、裄丈、着丈、背丈など細かく採寸し、着用者の体型に合わせ曲線裁断・縫製した。１上部身頃と２下部前身頃３下部後身頃を（Ｅ）ウエストラインで縫い合わせ、着丈を第七頚椎からくるぶしまでを着丈とした。そのため、着物をはおり、帯を巻くだけで誰にでも簡単に着用できる。また、（Ｆ）ヒップラインから（Ｇ）裾線にかけて２ｃｍ狭まっているため、歩くたびに５前端の裏地が見え美しい外観を呈するようになる。【選択図】        図１
2004277979.tif 000002
【特許請求の範囲】
【請求項１】
バスト、ウエスト、ヒップ、アンダーバスト、裄丈、着丈、背丈を採寸し、これらを基に曲線裁断・縫製することにより誰にでも簡単に着用できることを特徴とする着物。
【請求項２】
着用者の第７頚椎からかかとまでを採寸し、それを着丈とすることを特徴とする請求項１に記載の着物。
【請求項３】
ヒップまわり（Ｆ）と裾まわり（Ｇ）の寸法差が１〜３ｃｍでヒップまわり（Ｆ）から裾まわり（Ｇ）まで徐々にすぼまっていることを特徴とする請求項１から請求項２に記載の着物。
【発明の詳細な説明】
【０００１】
【発明の属する技術分野】
本発明は、着物をはおり、帯を巻くだけで誰でも簡単に着ることができ、動きやすい。しかも従来の着物では得られなかった、美しい着姿を有し着崩れしにくい洋服感覚の着物に関するものである。
【０００２】
【従来の技術】
従来の着物は、１着でいろいろなタイプの人が着ることができるよう、縫い直しやすくする為、直線裁断による縫製していた。紐を何本も使い身体に巻きつけて着用しており、洋服とは違い寸胴の方が美しく見えるため、ウエストやバストなど体型に合わせバスタオルやさらしを巻いて補正していた。そのため、着付けに時間がかかり、圧迫感があった。また、着付けの訓練を受けなければ一人で着用することが困難で、歩行やあらゆる作業を行うことにより、着崩れを起こすことが多く、着用中に着崩れた際、１人で直すことが困難であった。そのため、日本の代表的な民族衣装にもかかわらず、近年の着物離れの一因になっている。
【０００３】
【発明が解決しようとする課題】
上記従来の着物は、直線裁断・縫製で大小は有るとしても定型のため、着丈を合わせるためおはしょりを作るなど、紐を何本も使い身体に巻きつけて着用していた。また、バストやウエストにさらしやタオルなどを使い体型に合わせ補正して着用するため、圧迫感やごわごわ感があり着崩れすることが多かった。また、着物自体が直線裁断・縫製しているため、着付けの仕方で美麗に着られるか否か左右され、１人で着られない人が多かった。
本発明は、上記従来の着物の欠点を全て解決し、誰にでも簡単に美しく着用することができ、着用中、着崩れしにくい着物を提供する。
【０００４】
【課題を解決するための手段】
本発明に係る着物は、バスト、ウエスト、ヒップ、アンダーバスト、背丈、着丈身長など細かく採寸し、体にフィットするよう曲線裁断・縫製した。したがって、着付けに余分な紐を使う必要はなく、おはしょりを作る必要もなくなった。そのため、着物をはおり、帯を巻くだけで誰にでも簡単に着用でき、着崩れしにくい着物であることを特徴とする。
【０００５】
本発明に係る着物の縫製方法は、曲線で立体的に裁断した布地を縫製するので、着用した場合身体にフィットし、着付けに時間を要することなく、着物をはおり、帯を巻くだけで着用できる。よって、着物を着用した経験のないものでも洋服感覚で簡単に着用できる。
【０００６】
【発明の実施の形態】
発明の実施の形態を実施例に基づき図面を参照して説明する。
図１において、線（Ａ）は中心線を表す。中心線で、点（１）バックネックポイントをとり、点（４）までを着丈とする。中心線上で点（１）から点（５）まで背丈をとり、点（５）から直角に出した線を線（Ｅ）ウエストラインとする。線（Ｅ）から１８ｃｍ〜２０ｃｍ下方に描いた線を線（Ｆ）ヒップラインとする。点（１）バックネックポイントからバスト／４寸法をとり、線（Ｄ）バストラインとする。この図を基本に１上部身頃、２下部前身頃、３下部後身頃、４袖、５前端を描く。
【０００７】
点（１）バックネックポイントからバスト／３５寸法上がった位置から横へ直角にバスト／３５寸法を３倍した位置を点（２）サイドネックポイントとする。点（１）バックネックポイントから中心線に対して直角にバスト／３５寸法の２倍した位置を点（３）とし、点（２）と点（３）を結んだ直線を２等分した位置で、点（２）と点（３）を結んだ直線に身頃側へ直角に０．３ｃｍ〜０．５ｃｍの位置を通る曲線で結ぶ。点（１）から点（２）を結ぶ曲線を後衿ぐりとする。
【０００８】
点（Ｆ）ヒップライン上で着用者のヒップ寸法を４等分し、２ｃｍ〜３ｃｍのゆとりを加えた位置に点（９）をとり、線（Ｅ）ウエストライン上で線（Ｇ）裾線へ平行に描く。線（Ｅ）ウエストライン上で、点（７）より身頃側へ１ｃｍ〜２ｃｍの位置を点（８）とし、線（Ａ）中心線より身頃側へ０、５ｃｍの位置に点（５）をとる。線（Ｇ）裾線で点（１１）より身頃側へ０、５ｃｍ入った位置を点（１２）とする点（９）から点（１１）を直線で結び、点（９）と点（１１）を結ぶ直線線上で３等分した点（２６）の位置から点（１２）へ線を結び、点（９）と点（２６）を結ぶ直線、点（２６）と点（１２）を結ぶ直線を基本とし点（２６）直角に０、１ｃｍ〜０、３ｃｍを通る曲線を描く。
【０００９】
点（７）から点（９）を直線で結び、点（７）と点（９）を結ぶ直線上で３等分した点（２７）の位置から点（８）を直線で結び、点（８）と点（２７）を結ぶ直線、点（２７）と点（９）を結ぶ直線を基本とし、点（８）と点（２７）を結ぶ直線上で３等分した点（２８）直角に０．３ｃｍ〜０．５ｃｍを通り点（２９）で身頃外側へ直角に０．１ｃｍ〜０．３ｃｍを通る曲線を描く。
【００１０】
線（Ｅ）ウエストラインより下へ０．５ｃｍ〜１．０ｃｍ平行に線を描き、点（８）から点（８）と点（２７）を結ぶ直線に直角の線を描き、点（５）と点（３０）を結ぶ直線、点（３０）と点（８）を結ぶ直線を基本とし点（３０）上で上部身頃側へ直角に０．１ｃｍ〜０．２ｃｍを通る曲線を結ぶ。点（１０）点（５）点（３１）を結ぶ。中心線より点（２）ショルダーネックポイントを通る直角線を描き、点（２）ショルダーネックポイントから点（６）へ裄丈分を取る。点（２）と点（６）を結ぶ線上で点（２）より袖口側へ２５ｃｍ〜２７ｃｍの位置を点（１３）とし、直角に身頃側へ２．０ｃｍ〜４．０ｃｍの位置を点（１４）とする。点（２）ショルダーネックポイントから点（１４）を通る線を裄丈分取った位置を点（１５）とする。点（２）と点（１５）を結ぶ線上で点（１４）より下へ垂直に線を描き（Ｄ）バストラインを延長した線と交わった位置を点（１６）とする。点（１４）と点（１６）を結ぶ直線から下側へ８ｃｍ延長した位置を点（１７）とし、点（１５）から点（１４）と点（１５）を結ぶ直線上で点（１５）より下へ直角に線を描き、点（１５）と点（１８）を結ぶ線を袖口寸法とする。
【００１１】
点（１７）と点（１８）を結ぶ直線を５等分して点（１７）と点（１８）を結ぶ直線を基本として点（１９）で外へ０．１ｃｍ〜０．３ｃｍ、点（２０）で外へ０．５ｃｍ〜１．０ｃｍ、点（２１）で０．１ｃｍ〜０．３ｃｍ、点（２２）で０．１ｃｍ〜０．２ｃｍの位置を通る曲線で結ぶ。
【００１２】
点（１６）と点（８）を直線で結び、２等分した点を点（２３）とする。点（１６）と点（２３）を結ぶ直線を２等分し点（２４）とし、点（２３）と点（８）を結ぶ直線を２等分して点（２５）とする。点（２４）で点（１６）と点（２３）を結ぶ直線に直角に、外へ０．５ｃｍ〜０．３ｃｍの位置を通り点（８）へ曲線で結ぶ。
点（１）と点（３）を結ぶ線と同寸法の線を点（３２）から点（５７）でとり、点（３２）をショルダーポイントとする。線（Ｂ）前中心線より外へ１０〜１１ｃｍの位置で平行線を描き、それを線（Ｃ）前端線とする。線（Ｅ）ウエストラインから下へ前下がり分として３〜５ｃｍの位置で平行線を描き、線（Ｈ）前ウエストラインとする。
【００１３】
線（Ｃ）前端と線（Ｈ）前ウエストラインの交差する点を、点（３３）とし、線（Ｂ）前中心線と線（Ｄ）バストラインの交差する点を点（３４）とする。点（３２）から点（３４）を通り点（３３）までを直線で結ぶ。点（３２）と点（３３）を結ぶ線を３等分した点を上側から点（３５）、点（３６）とし点（３５）で、身頃側へ０．３〜０．５ｃｍを通り、点（３６）で直角に身頃側へ０．１〜０．３ｃｍを通る曲線で結ぶ。点（３３）と点（３４）を結ぶ線を基本とし、点（３３）と点（３４）を結ぶ線を２等分した点（３７）から直角に身頃側へ０．１〜０．３ｃｍを通る曲線で結ぶ。曲線で結んだ点（３２）から点（３３）までの線を前衿ぐりとする。
【００１４】
点（３２）より袖口側へ２５〜２７ｃｍの位置を点（３８）とし、身頃側へ直角に３〜５ｃｍの位置を点（３９）とする。点（３２）から、点（３９）を通る直線で結び点（３２）から裄丈分とった位置を点（４０）とする。点（３２）と点（４０）を結ぶ線上で、点（３９）より下へ直角に線を描き、点（３９）と点（４１）を結ぶ線の寸法を、点（１４）と点（１６）を結ぶ線より１〜２ｃｍ短い線とする。点（４０）から、点（１５）と点（１８）を結ぶ線と同寸法の線を描き、点（４０）と点（４２）を結ぶ線の寸法を点（１５）と点（１８）を結ぶ線から１〜２ｃｍ短い線とする。点（４１）、点（４２）を点（１７）と点（１８）までの線と同じ曲線で結ぶ。点（３９）と点（４１）を結ぶ線上で、点（４１）から上から点（１７）と点（１６）を結ぶ線と同寸法とった位置を点（４３）とする。
【００１５】
線（Ｆ）ヒップライン上で着用者のヒップ寸法を４等分し、２〜３ｃｍのゆとりを加えた位置をとり、それを基本とし線（Ｈ）ウエストライン、線（Ｇ）裾線へ平行に描き線（Ｉ）脇線とする。点（４３）から、点（１６）と点（８）を結ぶ線と同寸法の線を描き、線（Ｉ）脇線にぶつかる位置を点（４４）とする。点（４４）から直角に身頃側へ０．５〜１ｃｍの位置を点（４５）とし、線（４３）（４５）は、点（１６）と点（８）を結ぶ線と同じ曲線で描く。
点（４４）と点（４６）を結ぶ線と同寸法を点（４７）から上側へとった位置を点（４８）とし、点（４５）から点（４８）までを３等分して点（５１）の位置から点（５０）を直線で結び、点（４８）と点（５１）を結ぶ線、点（５１）と点（５０）を結ぶ線を基本とし、点（５１）から身頃側へ直角に０．１〜０．３ｃｍを通る曲線を描く。線（Ｃ）前端線と線（Ｇ）裾線の交差する位置を点（５２）とし、外へ０．５〜１ｃｍ出した点（５３）、点（３３）、点（５３）を結ぶ。点（３３）と点（５３）を結ぶ線から点（５４）へぶつかるように直角の線を描く。
【００１６】
線（Ｈ）前ウエストライン上で前中心線から脇側に９〜１０ｃｍの位置を点（５５）とし、点（４５）と結ぶ。点（４５）と点（５５）を結ぶ線を３等分した点（５６）の位置から、点（５５）で点（４５）と点（５５）を結ぶ線上に直角に０．３〜０．５ｃｍを通り、線（Ｂ）前中心線と線（Ｈ）前ウエストラインの交差する点まで曲線で結ぶ。
【００１７】
点（１）、点（２）、点（３）を結んだ線を後衿ぐりとし、点（３２）、点（３５）、点（３６）、点（３７）、点（３３）を結んだ線を前衿ぐりとする。点（３２）、点（３３）を直線で結び、その直線を上下へ延長する。延長線上で点（３２）から後衿ぐり寸法をとった点を点（５８）とする。点（３２）から点（５８）を結んだ線に点（５８）から（Ｂ）前中心方向に直角に３〜３．５ｃｍの位置を点（５９）とし線を引く。点（５８）と点（５９）を結んだ線を６衿の後中心線とする。点（３３）からの延長線上に４〜４．５ｃｍの位置を点（６０）とし、点（３３）から点（６０）を結んだ線に直角に４〜４．５ｃｍの位置を点（６１）とし線を引く。点（５９）、点（６１）を線で結ぶ。
【００１８】
点（８）、点（４４）、点（３３）、点（３４）、点（５）で囲んだパーツを１上部身頃とする。点（４４）、点（５０）、点（５４）、（Ｂ）前中心線と点（３３）、点（５５）を結んだ線の交点で囲んだパーツを２下部前身頃とする。点（５）、点（４）、点（１２）、点（８）で囲んだパーツを３下部後身頃とする。点（４１）、点（１７）、点（１８）、点（４２）で囲んだパーツを４袖とする。点（３３）、点（５５）を結んだ線と（Ｂ）前中心線の交点と、（Ｂ）前中心線と点（３３）、点（５５）を結んだ線の交点、点（５４）、点（５３）、点（３３）で囲んだパーツを５前端とする。点（５８）、点（６０）、点（６１）、点（６２）で囲んだパーツを６衿とする。
【００１９】
【発明の効果】
本発明は以上の説明したように構成されており、以下に記載されるような効果を奏する。
【００２０】
着丈を着用者に合わせて裁断・縫製しているため着物をはおり、帯を巻くだけで誰にでも簡単に着用できる。
【００２１】
また、バスト、ウエスト、ヒップ、アンダーバスト、裄丈、着丈、背丈など細かく採寸し、曲線裁断・縫製しているため、着崩れしにくく着姿も美しく見せることができる着物を提供することができる。
【００２２】
【図面の簡単な説明】
【図１】（ａ）は本発明を示す着物の正面図、（ｂ）は背面図である。
【図２】（ａ）は本発明に係る着物の実地例を示す背面展開図、（ｂ）は正面展開図である。
【図３】（ａ）は本発明に係る着物の上部身頃の展開図、（ｂ）は下部前身頃の展開図、（ｃ）は下部後身頃の展開図、（ｄ）は袖の展開図、（ｅ）は前端の展開図である。
【符号の説明】
１  上部身頃
２  下部前身頃
３  下部後身頃
４  袖
５  前端
６  衿
【図１】
2004277979.tif 000003
【図２】
2004277979.tif 000004
【図３】
2004277979.tif 000005